(57)【要約】【課題】インターネットラジオの音切れを発生させることなく再生可能なデータ再生装置を提供する。【解決手段】データ再生装置１０１は、インターネット通信を行う通信部１０２と、インターネット通信の制御を行うインターネット制御部１０３と、取得した音声データを再生する音声再生部１０４と、ラジオ放送を受信するラジオ受信部１０６と、ラジオ受信部１０６で受信する放送局を決定する受信放送局判断部１０５と、出力信号を生成する出力信号生成部１０９と、出力信号生成部１０８を制御する出力信号制御部１０８と、から構成される。出力信号制御部は、インターネット制御部が決定した受信状況レベルに応じて音声再生部の出力する音声データＡとラジオ受信部の出力する音声データＢの合成比率を制御する。【選択図】図１
2013211701.tif 000002
【特許請求の範囲】
【請求項１】
インターネットサーバから受信したデジタルデータを再生するデータ再生装置であって、
前記データ再生装置は、
インターネット通信を行う通信部と、
インターネット通信を制御するインターネット制御部と、
音声データを再生する音声再生部と、
ラジオ放送を受信して復調するラジオ受信部と、
前記ラジオ受信部が受信する放送波の周波数を決定する受信放送局判断部と、
前記音声再生部が出力する音声データＡと前記ラジオ受信部が出力する音声データＢを用いて前記データ再生装置が出力する音声信号を生成する出力信号生成部と、
前記出力信号生成部を制御する出力信号制御部と、を具備し、
前記受信放送局判断部は、前記インターネット制御部が受信している音声データと同一の内容の音声信号を放送しているラジオ放送局を判断して、前記ラジオ受信部が受信する放送波の周波数を決定し、
前記インターネット制御部は、受信している音声データの受信状況レベルを決定し、
前記出力信号制御部は、前記インターネット制御部が決定した前記受信状況レベルに応じて、前記出力信号生成部を制御する、ことを特徴とするデータ再生装置。
【請求項２】
前記受信状況レベルは、前記インターネット制御部で受信したパケットデータのデータ誤り検出機能を用いて決定され、
前記出力信号制御部は、前記パケットデータのデータ誤りが多くなるほど前記音声データＡの合成比率が低くなるように、前記受信状況レベルに応じて前記音声データＡと前記音声データＢの合成比率を制御する、ことを特徴とする請求項１に記載のデータ再生装置。
【請求項３】
前記データ再生装置は、更に、前記音声データＢを一時記録するデータバッファ部を具備し、
前記出力信号生成部は、前記データバッファ部から前記音声データＢを読み出すタイミングを調整して、前記音声データＡとの再生タイミングを制御する、ことを特徴とする請求項１または請求項２に記載のデータ再生装置。
【発明の詳細な説明】
【技術分野】
【０００１】
本発明はインターネット上のサーバから取得したデジタルデータを用いるアプリケーションを実行する装置、特にインターネットラジオの音声データを受信して再生するデータ再生装置に関するものである。
【背景技術】
【０００２】
インターネット通信を利用したアプリケーションを搭載した機器が普及してきている。
インターネットは利用者数や通信先のサーバまでの距離、間にあるルーター数などにより利用可能な通信帯域は変動するため、必ずしも所望の通信帯域を確保することができない。そこで適切な通信帯域をアプリケーションに割り当てる必要がある。
【０００３】
この課題を解決するための技術が提案されている（例えば特許文献１参照）。特許文献１ではネットワークを介して通信するアプリケーションに対してネットワーク状況に応じてそれぞれ適切な帯域を割り当てる方法が提案されている。特許文献１に記載の帯域割り当て方法によれば、ネットワーク状況と各アプリケーションで必要となる最大通信帯域及び最低通信帯域の情報を用い、アプリケーションの優先度に応じて各アプリケーションに適切に通信帯域を割り当てることでユーザの利用状況に応じたアプリケーションの同時実行を可能としている。
【先行技術文献】
【特許文献】
【０００４】
【特許文献１】国際公開第２００６／０５７３８１号
【発明の概要】
【発明が解決しようとする課題】
【０００５】
しかし、特許文献１に記載の帯域割り当て方法では通信が一切できない場合はたとえ優先的に通信帯域を割り当てられるアプリケーションであっても実施できなくなってしまう。携帯端末や車載端末といった装置は、ＰＣなどの家庭に設置して用いられる装置と比較すると、移動しながらインターネット接続しなければならないという環境で用いられることが多い。このため、携帯端末や車載端末といった装置は、一般的には通信帯域が充分確保できず、最悪の場合通信が一切できない場合もある。
【０００６】
インターネットを利用するアプリケーションでインターネットラジオというものがある。このアプリケーションはインターネットサーバから音声データを送信してもらい、ストリーミング再生するというものである。車内でインターネットを利用する場合、運転中であっても音声再生を楽しむことができるが、上述の通り通信帯域が充分確保できない場合は、音声再生が停止し、ユーザは不快に感じてしまう。
【０００７】
本発明は、上述した従来技術の問題を解決するためになされたもので、通信帯域が充分確保できない、あるいは通信が一切できない場合であっても、インターネットラジオを音切れが発生することなく再生できるデータ再生装置を提供することを目的とする
【課題を解決するための手段】
【０００８】
上記目的を達成するために本発明は、インターネットサーバから受信したデジタルデータを再生するデータ再生装置であって、データ再生装置は、インターネット通信を行う通信部と、インターネット通信を制御するインターネット制御部と、音声データを再生する音声再生部と、ラジオ放送を受信して復調するラジオ受信部と、ラジオ受信部が受信する放送波の周波数を決定する受信放送局判断部と、音声再生部が出力する音声データＡとラジオ受信部が出力する音声データＢを用いてデータ再生装置が出力する音声信号を生成する出力信号生成部と、出力信号生成部を制御する出力信号制御部と、を具備し、受信放送局判断部はインターネット制御部が受信している音声データと同一の内容の音声信号を放送しているラジオ放送局を判断してラジオ受信部が受信する放送波の周波数を決定し、インターネット制御部は受信している音声データの受信状況レベルを決定し、出力信号制御部はインターネット制御部が決定した受信状況レベルに応じて出力信号生成部を制御する、という特徴を有する。
【発明の効果】
【０００９】
本発明によれば、インターネットラジオを再生中に受信状況に応じて同一番組を放送しているラジオ放送局から受信するアナログ信号と、再生中の音声データを合成することで、通信状態が不安定な環境においても音切れを発生させずに再生することができる、という効果を奏する。
【図面の簡単な説明】
【００１０】
【図１】本発明の実施の形態１におけるデータ再生装置のブロック図
【図２】本発明の実施の形態１におけるインターネットラジオ再生処理の動作説明のためのフロー図
【図３】本発明の実施の形態１における音声データＡ生成処理の動作説明のためのフロー図
【図４】本発明の実施の形態１における音声データＢ生成処理の動作説明のためのフロー図
【図５】本発明の実施の形態１における音声出力処理の動作説明のためのフロー図
【図６】音声データＡと音声データＢの再生位置の時間差を説明するための音声データ構成図
【発明を実施するための最良の形態】
【００１１】
（実施の形態１）
以下、本発明の実施の形態１におけるデータ再生装置について図面を参照しながら説明する。
図１は本発明の実施の形態１におけるデータ再生装置のブロック図である。本実施の形態１では、本発明を音声データを再生するデータ再生装置として実施する場合における、インターネットラジオの音声データを再生する動作について説明する。
【００１２】
図１において、１０１はデータ再生装置であり、インターネットサーバ１２１と接続しインターネット通信が可能である。また、データ再生装置１０１はラジオ放送局（地上波放送放送局）１２２から送信される放送波を受信することが可能である。なお、図１ではラジオ放送局１２２は1つしか図示していないが、実際のラジオ放送局は複数あり、それぞれのラジオ放送局が異なる周波数帯を用いて放送波を送信しているものとする。
【００１３】
データ再生装置１０１は、インターネットサーバ１２１との通信を行う通信部１０２、インターネット通信の制御を行うインターネット制御部１０３、インターネットから取得した音声データを再生する音声再生部１０４、ラジオ受信部１０６で受信する放送局（周波数）を決定する受信放送局判断部１０５、アナログラジオ放送を受信して音声データを出力するラジオ受信部１０６、ラジオ受信部１０６が出力する音声データをバッファリングするデータバッファ部１０７、データ再生装置１０１が出力する信号を制御する出力信号制御部１０８、出力信号制御部１０８の制御に従って出力信号を生成する出力信号生成部１０９から構成される。更に、データ再生装置１０１は音声出力を行う音声出力部１１０と接続される。
【００１４】
通信部１０２は、インターネットサーバ１２１との通信を行う。本実施の形態１においてデータ再生装置１０１は移動しながら利用されることを想定し、通信部１０２は無線通信、例えば、携帯電話通信網を用いてインターネットに接続するものとする。なお、通信方式は無線ＬＡＮ（Ｌｏｃａｌ  Ａｒｅａ  Ｎｅｔｗｏｒｋ）や他の無線通信方式であっても同様に構成することが可能である。また、特定の場所でデータ再生装置１０１を利用する場合などは有線通信を利用して通信を行ってもよい。
【００１５】
インターネット制御部１０３はインターネット通信のための処理を行う。具体的には接続先のアドレスを指定したり、インターネット通信に必要となるパケットデータの送受信制御を行う。
【００１６】
また、インターネット制御部１０３は受信したパケットデータの状態に応じて受信状況を判断し、出力信号制御部１０７へ受信状況レベルを通知する。本実施の形態１においては、インターネットにおけるパケット通信のビット誤り検出機能を用いてビット誤り率に応じて受信状況を３段階のレベルに分けるものとする。このように、受信状況レベルは、受信したパケットデータのデータ誤りを示すビット誤り率を検出することにより決定される。ビット誤りの検出には、インターネット制御部１０３のデータ誤り検出機能としてのビット誤り検出機能が用いられる。
【００１７】
たとえば、ビット誤りなしの場合をレベル1、ビット誤りはあるが誤り率がしきい値（たとえば０．００１％）未満の場合をレベル２、ビット誤り率がしきい値以上の場合はレベル３とする。
なお、受信状況のレベルの決定方法はビット誤り率で判断するとしたがこれに限られたものではない。例えば、通信部１０２にて実際に受信する電波の強度で判断するとしてもよい。また、しきい値も０．００１％は一例であり、この値に限られたものではない。
【００１８】
音声再生部１０４はインターネットサーバ１２１から取得した音声データを伸張して音声データを生成し、出力信号生成部１０８へ出力する。以後、音声再生部１０４が出力する音声データを音声データＡとする。本実施の形態１における音声再生部１０４はＭＰ３（ＭＰＥＧ１  Ａｕｄｉｏ  Ｌａｙｅｒ‐３）フォーマットに対応しているものとする。なお、対応するフォーマットはＭＰ３に限られたものではなく、ＡＡＣ（Ａｄｖａｎｃｅｄ  Ａｕｄｉｏ  Ｃｏｄｉｎｇ）などの他の圧縮方式や、更に非圧縮方式にも対応するとしてもよい。
【００１９】
受信放送局判断部１０５は視聴しているインターネットラジオと同じ番組を放送しているラジオ放送局を判断し、ラジオ受信部１０６にて受信／復調する周波数を決定する。受信放送局判断部１０５の詳細動作については後述する。
【００２０】
ラジオ受信部１０６はラジオ放送局１２２より送信される放送波を受信し、復調した音声データをデータバッファ部１０７に出力する。以後、ラジオ受信部１０６が出力する音声データを音声データＢとする。ラジオ受信部１０６で受信／復調する周波数はユーザ操作などによって決定されるが、本実施の形態１においては受信放送局判断部１０５にて決定した周波数の電波を受信／復調するものとする。なお、復調した音声データはアナログ信号であるが、データバッファ部１０７に出力する信号はデジタル信号であるものとし、アナログ信号をデジタル信号に変換して出力するものとする。
【００２１】
データバッファ部１０７はラジオ受信部１０６から出力された音声データＢを一時的に記録しておくメモリであり、たとえば、揮発性メモリで実現するものとする。
出力信号制御部１０８はインターネット制御部１０３から通知された受信状況レベルを用いて出力信号生成部１０９の動作を決定する。出力信号制御部１０８の詳細動作については後述する。
【００２２】
出力信号生成部１０９は出力信号制御部１０８の制御指示に従い、音声再生部１０４から出力される音声データＡとデータバッファ部１０７から読み出した音声データＢを合成した音声信号を生成し、音声出力部１１０へ出力する。出力信号生成部１０９の詳細動作は後述する。
音声出力部１１０は、出力信号生成部１０９が生成した音声信号を出力する、例えば、スピーカである。なお、本実施の形態１では音声出力部１１０はデータ再生装置１０１と接続される形態としているが、データ再生装置１０１に内蔵される形態としてもよい。
【００２３】
図２のフロー図を用いてデータ再生装置１０１のインターネットラジオ再生処理を説明する。
まず、インターネットラジオ再生開始指示を受け、アプリケーションを起動させる（ステップＳ２０１）。データ再生装置１０１起動後に、ユーザ操作によってデータ再生装置１０１に対するアプリケーションの起動が指示される。ユーザ操作は、例えば、タッチセンサ（図示せず）などの入力デバイスを用いて行われる。なお、データ再生装置１０１の電源を切ったときの最終アプリケーションがインターネットラジオであった場合は、最終アプリケーションの情報を保持しておき、データ再生装置１０１の起動後に自動的にアプリケーションが起動するものとしてもよい。
【００２４】
次に、音声データＡ生成処理（ステップＳ２０２）を行う。音声データＡ生成処理の詳細について、図３のフロー図を用いて説明する。
音声データＡ生成処理では、まず、インターネット制御部１０３の指示によりインターネットサーバ１２１へ接続する（ステップＳ３０１）。ここで、接続先は前回のインターネットラジオアプリケーション起動時に接続していたインターネットラジオサービスを提供するサイトであるとする。この情報は不揮発性メモリ（図示せず）などに保持しているものとする。また、インターネットラジオアプリケーション起動時に必ず所定のサイト、例えば、複数のインタネットラジオサイトのリンク先を提供しているようなポータルサイトに接続するものとしてもよい。
【００２５】
次に、再生指示を行う（ステップＳ３０２）。この再生指示は、たとえば、ユーザ操作によりステップＳ３０１にて接続したサイトから実際に再生する曲やサイトを選択することで行われるものとする。なお、この選択は、ユーザ操作ではなく、自動操作（たとえば、前回再生時に選択した曲やサイトを選択）により行われることとしてもよい。
【００２６】
次に、インターネットサーバ１２１からデータを受信する（ステップＳ３０３）。ここで受信するデータは、たとえば、ＭＰ３フォーマットであるものとする。
そして、ステップＳ３０３にて受信したデータを伸張し、音声データＡを生成する（ステップＳ３０４）。この処理は音声再生部１０４にて行われる。生成された音声データＡは出力信号生成部１０９に出力される。
以上、図３を用いて説明したように音声データＡ生成処理が行われる。
【００２７】
図２のステップＳ２０２の音声データＡ生成処理の次に、音声データＢ生成処理を行う（ステップＳ２０３）。音声データＢ生成処理の詳細について図４のフロー図を用いて説明する。
音声データＢ生成処理では、まず、視聴中のインターネットラジオと同一の放送がラジオ放送局１２２で行われているかを確認する（ステップＳ４０１）。この処理は受信放送局判断部１０５にて行われる。
【００２８】
ラジオ放送局１２２によっては、放送している番組と同一のものをインターネット経由で配信している場合がある。このようなサービスをサイマルラジオと呼ぶ。本実施の形態１においては視聴中のインターネットラジオがサイマルラジオであるものとし、ラジオ放送局１２２で放送している同一番組のラジオの周波数がインターネットラジオの付加情報として取得可能なものとする。
なお、ラジオ放送局１２２は特定の地域でしか放送波を受信することができない。本実施の形態１では、図示しないＧＰＳ（Ｇｌｏｂａｌ  Ｐｏｓｉｔｉｏｎｉｎｇ  Ｓｙｓｔｅｍ）を用いてデータ再生装置１０１の位置情報により受信可能なラジオ放送局１２２の情報が得られるものとする。この情報とインターネットラジオの付加情報より、所望する番組を視聴するために設定すべき周波数が決定できるものとする。
【００２９】
ステップＳ４０１にて、同一番組を放送しているラジオ放送局がある場合（ＹＥＳ）は、ステップＳ４０２へ、無い場合（ＮＯ）はステップＳ４０４へ進む。
ステップＳ４０２ではラジオ受信部１０６にてラジオのチューニングを行う。このとき、ステップＳ４０１にて取得した、ラジオ放送局１２２で放送している同一番組のラジオの周波数の情報を元に受信する周波数を設定する。
【００３０】
そして、ラジオ受信部１０６にて受信した電波を復調し、アナログ音声信号を得る（ステップＳ４０３）。本実施の形態１においてはアナログ音声信号をデジタル変換して音声データＢを生成する。生成された音声データＢはデータバッファ部１０７に出力される。
【００３１】
ステップＳ４０１にて、同一番組を放送しているラジオ放送局が無いと判断された場合（ＮＯ）、受信放送局判断部１０５はラジオ受信部１０６に対して無音データ出力を指示する（ステップＳ４０４）。また、受信放送局判断部１０５は、出力信号制御部１０８に対しても同一番組を放送しているラジオ局が無いことを通知する。なお、ラジオ受信部１０６に対する指示は無音データ出力指示ではなく、復調処理の停止要求などであってもよい。
以上、図４を用いて説明したように音声データＢ生成処理が行われる。
【００３２】
図２のステップＳ２０３の音声データＢ生成処理の次に音声出力処理が行われる（ステップＳ２０４）。音声出力処理の詳細について図５のフロー図を用いて説明する。
音声出力処理では、まず、インターネット制御部１０３にて受信状況レベル判定を行う（ステップＳ５０１）。上述したとおり、本実施の形態１では受信したパケットデータのビット誤り率で受信状況レベルを判定するものとする。ここで決まった受信状況レベル（レベル１〜３のいずれか）は出力信号制御部１０８に通知される。
【００３３】
次に、出力信号制御部１０８にて同一番組を放送しているラジオ放送局があるかどうかを確認する（ステップＳ５０２）。図４のステップＳ４０４にて、同一番組を放送しているラジオ放送局が無い場合は受信放送局判断部１０５がその旨を出力信号制御部１０８に通知するため、出力信号制御部１０８は受信放送局判断部１０５からの通知を用いて同一番組を放送しているラジオ放送局があるかどうかを確認することができる。同一番組を放送しているラジオ放送局がある場合（ＹＥＳ）はステップＳ５０３へ、無い場合（ＮＯ）はステップＳ５０４へ進む。
【００３４】
ステップＳ５０２で同一番組を放送しているラジオ放送局がある（ＹＥＳ）と判断された場合は、受信状況レベルがレベル１であるかを確認する（ステップＳ５０３）。この処理は出力信号制御部１０８にて行われる。レベルがレベル１である（ＹＥＳ）場合は、ステップＳ５０４へ、レベルが１でない（ＮＯ）場合はステップＳ５０５へ進む。
【００３５】
ステップＳ５０２で同一番組を放送しているラジオ放送局が無い（ＮＯ）と判断された場合、もしくは、ステップＳ５０３にて受信状況レベルがレベル１である（ＹＥＳ）と判断された場合は、音声データＡと音声データＢの合成比率を１：０と決定する（ステップＳ５０４）。この処理は出力信号制御部１０８にて行われる。
【００３６】
ステップＳ５０２で同一番組を放送しているラジオ放送局が無い（ＮＯ）と判断された場合は、つまり、音声データＡと音声データＢは全く異なる音声データであるため、この場合は音声データＢを合成しないように音声データＡと音声データＢの合成比率は１：０とする。
【００３７】
また、音声データＡはデジタル通信で受信したデータであるが、音声データＢはアナログ音声信号であるものをデジタルデータに変換したものであるため音声データＡのほうが音声データＢよりも高品質である。ステップＳ５０３にて受信状況レベルがレベル１であると判断された場合は、つまり、データ受信状況に一切問題がないことを意味するため、インターネットラジオのデータ、すなわち、音声データＡのみを出力することがより高品質な音声を出力する観点で望ましい。したがって、この場合も音声データＡと音声データＢの合成比率は１：０とする。
【００３８】
ステップＳ５０３にて受信状況レベルがレベル１でない（ＮＯ）と判断された場合、出力信号制御部１０８は受信状況レベルがレベル２であるかを確認する（ステップＳ５０５）。受信状況レベルがレベル２である（ＹＥＳ）場合はステップＳ５０６へ、レベル２でない（ＮＯ）、すなわち、レベル３である場合はステップＳ５０７へ進む。
【００３９】
ステップＳ５０５にて受信状況レベルがレベル２であると判断された場合、出力信号制御部１０８は音声データＡと音声データＢの合成比率を１：１と決定する（ステップＳ５０６）。この処理は出力信号制御部１０８にて行われる。
【００４０】
受信状況レベルがレベル２ということは、受信している音声データＡにビット誤り（データ誤差）があり、一部のデータを正しく再生できない状態ということである。本実施の形態１では受信状況レベルが２ではビット誤り率が０．００１％としているが、このビット誤り率で音声データＡのみで再生すると、音声品質が劣化していることがわかるが音声データＢのみの再生よりは音声品質がよい程度の音声品質劣化が発生するものとする。したがって、音声データＡと音声データＢを１：１の比率で合成し、できるだけよい音声品質を保つようにする。なお、合成比率の１：１は一例であり異なる比率での合成であってもよい。
【００４１】
ステップＳ５０５にて受信状況レベルがレベル２でない、すなわち、レベル３と判断された場合、出力信号制御部１０８は音声データＡと音声データＢの合成比率を０：１と決定する（ステップＳ５０７）。この処理は出力信号制御部１０８にて行われる。
【００４２】
受信レベルがレベル３ということは、受信している音声データＡにビット誤り（データ誤差）があり、且つ、その誤り率がしきい値以上ということである。本実施の形態１ではしきい値である０．００１％を超えるビット誤り率で音声データＡのみを再生すると、音声データＢのみで再生するよりも音声品質が劣化する。したがって、音声データＡは合成に使わないこととし、音声データＡと音声データＢの合成比率を０：１とする。
【００４３】
ステップＳ５０４、あるいは、ステップＳ５０６、ステップＳ５０７のいずれかの処理で音声データＡと音声データＢの合成比率が決定すると、出力信号生成部１０９にて音声合成処理を行う（ステップＳ５０８）。出力信号生成部１０９では音声合成の技術を用いて、音声再生部１０４から出力された音声データＡと、データバッファ部１０７から読み出した音声データＢを合成して合成音声データを生成する。そして、生成した合成音声データを音声出力部１１０から出力する。
【００４４】
音声データＡはデジタルデータとしてインターネット経由で受信する。一方、音声データＢはアナログ信号としてラジオ放送局１２２から送信される。伝達時間および伸張処理の差により音声データＡと音声データＢでは同じ再生位置を出力する場合に時間差が生じ、音声データＡの方が出力するタイミングが音声データＢよりも遅くなる。この時間差があるままで音声合成すると、相関のないデータを合成することになるため、合成した音声データは２つの異なる音声を合成しただけのものとなりユーザにとっては聞き取りにくいものとなってしまう。
【００４５】
図６を用いて、音声データＡと音声データＢの時間差について説明する。図６中、６０１は音声データＡ、６０２は音声データＢを表している。音声データ６０１（音声データＡ）の再生位置と音声データ６０２（音声データＢ）の再生位置は図中に示しているとおり、同じ時間であれば音声データ６０１の再生位置は音声データ６０２の既に再生済みの位置となってしまう（図中、網掛け部のデータＡ）。すなわち、音声データ６０１（音声データＡ）よりも音声データ６０２（音声データＢ）の方が早く再生されるから、出力信号生成部１０９が、ラジオ受信部１０６からの音声データをそのまま読み出した場合、音声データ６０１（音声データＡ）の再生中の音声データには、音声データ６０２（音声データＢ）における既に再生済みの音声データが対応することとなる。、
【００４６】
データバッファ部１０７はこの時間差が生じる課題を解決するためのものである。音声データＢを一時的にデータバッファ部１０７に記録し、後から読み出して再生することで時間差を解消して、音声データＡと音声データＢの再生位置を合わせることが可能である。出力信号生成部１０９は音声データＡと音声データＢの再生位置が同じになるように、データバッファ部１０７から音声データＢを読み出す再生タイミングを制御することができるものとする。
なお、音声合成の技術はさまざまなものがあるが、音声合成技術は本発明に直接かかわらないため詳細な説明は割愛する。
【００４７】
以上、図５を用いて説明したようにステップＳ２０４の音声出力処理が行われる。
図２にてステップＳ２０４の音声終了処理の後は、終了指示がある場合はインターネット再生処理を終了し、終了指示が無い場合は、ステップＳ２０２に戻り処理を繰り返す（ステップＳ２０５）。
【００４８】
以上、図２を用いて本実施の形態１のデータ再生装置１０１におけるインターネット再生処理について説明した。受信状況に応じて音声データＡと音声データＢの合成比率を動的に変化させながらインターネットラジオの再生を行うことができる。これにより通信状態の悪化や通信遮断による音声データＡの音切れが発生するような場合も、音切れが発生しにくい音声データＢの合成比率を高くすることで音切れを防止することができる。更に、音声データＡの受信状況が良好な状態に復帰した場合は、音声品質の良い音声データＡの合成比率を高くすることでよりよい音声品質でインターネットラジオを視聴することが可能となる。
【００４９】
なお、本実施の形態１ではインターネットラジオの音声データ再生について述べたが、これに限られたものではなくビデオデータ再生でも同様の効果を得ることができる。
また、データ再生装置１０１の構成は図１に示したとおりとしたが、これに限られたものではない。例えば、各ブロックがバス接続される構成であってもよい。
【００５０】
また、音声データＡと音声データＢの合成比率は受信状況レベルに応じて決定するとしたが、これに限られたものではない。例えば、音声データＡの伸張処理でエラーを検出してそのエラー発生率で決定するとしてもよい。さらに、ユーザ操作によって合成比率を設定可能としてもよい。
【００５１】
また、受信状況レベルはレベル１〜３の３段階としたが、これに限られたものではない。
２段階以上であればよい。なお、レベルの数を増やすことにより、音声データＡと音声データＢの合成比率を詳細に設定することができ、合成音声データの音声品質をより詳細に制御することができるようになる。
【００５２】
また、出力信号生成部には音声データＡ、および、音声データＢというデジタルデータを入力したがこれに限られたものではない。用いる音声合成技術に応じてアナログ信号で入力することとしてもよい。
【００５３】
また、受信放送局判断部にて決定するラジオ受信部の受信／復調する周波数はインターネットラジオの付加情報として取得可能であるとしたが、これに限られたものではない。ユーザがあらかじめ設定しておくこととしてもよい。また、インターネットラジオで送信中の番組と同一番組を放送しているラジオ放送局と周波数を検索するサービスを提供するサイトから取得するようにしてもよい。
【産業上の利用可能性】
【００５４】
本発明は、インターネットに接続してストリーミング再生を行うデータ再生装置で、特に、通信帯域が不安定な環境で用いる場合に利用するデータ再生装置として有用である。
【符号の説明】
【００５５】
１０１  データ再生装置
１０２  通信部
１０３  インターネット制御部
１０４  音声再生部
１０５  受信放送局判断部
１０６  ラジオ受信部
１０７  データバッファ部
１０８  出力信号制御部
１０９  出力信号生成部
１１０  音声出力部
１２１  インターネットサーバ
１２２  ラジオ放送局
６０１、６０２  音声データ
【図１】
2013211701.tif 000003
【図２】
2013211701.tif 000004
【図３】
2013211701.tif 000005
【図４】
2013211701.tif 000006
【図５】
2013211701.tif 000007
【図６】
2013211701.tif 000008